(57)【特許請求の範囲】
【請求項１】
構造物の構築作業終了後に、引張材を引き抜いて撤去することが可能なアースアンカーであって、前記引張材を支持する支圧板と、山留め壁との間に、前記引張材を内部に挿通すると共に、前記支圧板からの荷重を支える筒状部材を備えることを特徴とするアースアンカー。
【請求項２】
前記筒状部材の側面には孔が設けられることを特徴とする請求項１に記載のアースアンカー。
【請求項３】
前記筒状部材は鋼管であることを特徴とする請求項１または２に記載のアースアンカー。
【請求項４】
山留め壁付近の地下構造物構築時に用いられるアースアンカーの撤去方法であって、引張材を支持する支圧板と、山留め壁との間に、前記引張材を内部に挿通すると共に、前記支圧板からの荷重を支える筒状部材を備えるアースアンカーを設置し、前記筒状部材の先端部が露出するようにコンクリートを打設し、前記筒状部材の先端部に設けられる孔から、前記筒状部材内を通る前記引張材を切断して引き抜くことを特徴とするアースアンカーの撤去方法。
【請求項５】
前記アースアンカーの設置前に、前記筒状部材に前記孔を設けることを特徴とする請求項４に記載のアースアンカーの撤去方法。
【発明の詳細な説明】
【技術分野】
【０００１】
本発明は、地下構造物を構築する際の、山留め壁の支持に用いられるアースアンカー、およびその撤去方法に関する。
【背景技術】
【０００２】
地盤を掘削して地下構造物を構築するには、周囲に山留め壁を設置するなどして、地盤が崩れるのを防ぎながら作業をしなければならない。その際、山留め壁の壁面に横断方向に腹起しを設置し、山留め壁の背後にアースアンカーを打ち込んで引張材を緊張し、引張材の先端を腹起しの前に固定することによって山留め壁を支持する方法が一般的に用いられている。
【０００３】
また、地下構造物の柱や壁は、山留め壁と山留め壁に平行に設けられた型枠との間にコンクリートを打設することで構築される。コンクリートを打設する時に、地山に打込まれているアースアンカーを撤去する必要は必ずしもないため、山留め壁から突出したアースアンカーの先端部を、コンクリートに埋没させた状態で壁や柱を構築してしまうことも可能である。そうすれば、アースアンカーの撤去作業に手間をとられない上に、型枠の上端まで一度にコンクリートを流し込めるので、短い時間で作業を終えることができる。
【０００４】
ところが、構築作業を行う場所によっては、土地の境界線等の制約があるため、構築作業終了後にアースアンカーを撤去しなければならない場合がある。ここで、前述したようなコンクリート壁の構築方法を採用すると、アースアンカーがコンクリートに埋まってしまうので撤去することができなくなる。
【０００５】
この問題に対処する手段として、山留め壁の横断方向に鉄筋を組み、アースアンカーを通すための筒を配置して、その上からコンクリートを打設することにより、アースアンカーの貫通孔を有すると共に、外壁躯体の一部となる鉄筋コンクリート製の腹起しを構築し、貫通孔からアースアンカーを打込んで山留め壁を支持した後に土砂の掘削を行い、掘り終えたら腹起しの下までコンクリートを打設し、コンクリートが硬化して直接土圧を支えられるようになったらアースアンカーを撤去し、最後に腹起しから上にコンクリートを打設して地下構造物の壁を構築する方法（特許文献１参照）等が従来から用いられている。
【特許文献１】特開平８−３０２６８９号公報
【発明の開示】
【発明が解決しようとする課題】
【０００６】
しかし、腹起しを鉄筋コンクリートで構築することもさることながら、コンクリートの打設作業を、アースアンカーの撤去の前後で二度に分けて行うことは、アースアンカーを撤去せずに一度にコンクリートを打設する場合と比べ、大変手間やコストがかかるものであった。
【０００７】
本発明の課題は、地下構造物の構築作業の終了後、アースアンカーを撤去しなければならない作業現場においても、アースアンカーを撤去しない場合と同様に、地下構造物構築時のコンクリートの打設を一度で終えることを可能にし、コンクリート打設後でも容易に撤去することができるアースアンカーおよびその撤去方法を提供することである。
【課題を解決するための手段】
【０００８】
以上の課題を解決するため、請求項１に記載の発明は、構造物の構築作業終了後に、引張材を引き抜いて撤去することが可能なアースアンカーであって、前記引張材を支持する支圧板と、山留め壁との間に、前記引張材を内部に挿通すると共に、前記支圧板からの荷重を支える筒状部材を備えることを特徴とする。
【０００９】
請求項２に記載の発明は、請求項１に記載のアースアンカーであって、前記筒状部材の側面には孔が設けられることを特徴とする。
【００１０】
請求項３に記載の発明は、請求項１または２に記載のアースアンカーであって、前記筒状部材は鋼管であることを特徴とする。
【００１１】
請求項４に記載の発明は、山留め壁付近の地下構造物構築時に用いられるアースアンカーの撤去方法であって、引張材を支持する支圧板と、山留め壁との間に、前記引張材を内部に挿通すると共に、前記支圧板からの荷重を支える筒状部材を備えるアースアンカーを設置し、前記筒状部材の先端部が露出するようにコンクリートを打設し、前記筒状部材の先端部に設けられる孔から、前記筒状部材内を通る前記引張材を切断して引き抜くことを特徴とする。
【００１２】
請求項５に記載の発明は、請求項４に記載のアースアンカーの撤去方法であって、前記アースアンカーの設置前に、前記筒状部材に前記孔を設けることを特徴とする。
【発明の効果】
【００１３】
本発明によれば、底部から地上まで一度にコンクリートを打設しても、筒状部材によってアースアンカーの先端部をコンクリート壁面に露出させることが可能となるので、筒状部材の側面に孔を設けて、内側を通る引張材を切断して引き抜くことで、アースアンカーの撤去を容易に行うことができる。また、腹起しには通常のＨ形鋼等を用いることができ、特殊な作業を要しない。従って、地下構造物の構築作業における手間やコストが大幅に低減される。
【発明を実施するための最良の形態】
【００１４】
以下、図を参照して本発明を実施するための最良の形態を詳細に説明する。
図１は、本発明を適用したアースアンカーの一実施形態の構成を示すもので、１１は引張材、１２は支圧板、１３は筒状部材である鋼管、１４は孔、２１は山留め壁、２２は腹起し、２３はブラケット、２４は台座である。図２は地下構造物の構築後のアースアンカーを示す断面図で、３１はコンクリート壁である。
【００１５】
山留め壁２１は掘削箇所を囲むように設置され、周囲の地山からの土圧を支えるものである。山留め壁２１の壁面には、二本の腹起し２２が水平に、かつ上下並行に取り付けられている。腹起し２２は下部に設けられたブラケット２３によって数箇所で支えられている。腹起し２２の前面には、後述するアースアンカー１を保持すると共に、アースアンカーからの荷重を受ける台座２４が、アースアンカー１を打込む箇所に、上下の腹起し２２の前面に取り付けられている。
【００１６】
アースアンカー１は、台座２４を通る引張材１１、引張材１１を先端部で支持する支圧板１２、台座１１と支圧板１２に挟まれた鋼管１３から概略構成されている。アースアンカー１は除去式のものであって、一本の引張材１１を図示しない先端の耐荷体で折り曲げてＵ字状にしたものの両端を、支圧板１２で支持しているので、一方を切断し、もう一方を引っ張ることで除去が可能となっている。
【００１７】
鋼管１３は、後述するコンクリート壁３１の壁面から先端部が露出できる程度の長さとなるよう、設計図等であらかじめコンクリート壁の厚さを確認した上で製作し取り付ける。また、鋼管１３の内部には引張材１１が通されていて、先端部の側面には孔１４が設けられているので、孔１４から引張材１１を目視することができる。
【００１８】
次に、地下構造物の構築から、アースアンカーの撤去までの流れを説明する。図１に示すような形にアースアンカーが設置され、山留め壁の内側の掘削が終了すると、地下構造物の構築に入る。地下構造物は鉄筋コンクリート造である。
【００１９】
まず、地下構造物の柱や壁となる位置に図示しない鉄筋を組む。地下構造物の柱や壁は山留め壁に隣接して構築されるため、組まれる鉄筋は台座２４、腹起し２２や鋼管１３の一部にかかることになる。
【００２０】
鉄筋を組み終わったら、図示しない型枠を組んでコンクリートを打設する。コンクリートは図２に示すように、鋼管１３の先端部および孔１４を残して、背後の山留め壁２１までの間を全て充填する。このとき、孔１４からコンクリートが鋼管１３内に入り込まないよう注意する。このコンクリートが硬化すると、アースアンカー１に代わりに土圧を受けて地盤を支えることのできる強固なコンクリート壁３１となる。
【００２１】
コンクリート壁３１が、土圧に十分耐えられるものであることが確認できたら、アースアンカー１の撤去作業に入る。孔１４から見える引張材１１の内、一本を切断する。前述したとおり、本実施例で用いるアースアンカー１は除去式のものであるため、切断しなかったもう一本の引張材１１を孔１４から手繰り寄せることで引き抜くことができる。この作業を繰り返すことでアースアンカー１の撤去が完了する。
【００２２】
アースアンカー１の撤去後に残る鋼管１３は不要となるので、先端部を切断して内部を埋め戻し、滑らかな壁面としてもよいし、地下構造物の内側方向に新たな壁を設けて埋めてしまってもよい。
【００２３】
なお、以上の実施形態においては、あらかじめ鋼管の側面に孔を設けることとしたが、本発明はこれに限定されるものではなく、コンクリートの打設後に孔を設けるようにしても良い。
また、アースアンカーの本数、打込み箇所、打込み角度、腹起しや台座の形状、使用の有無等も任意であり、その他、具体的な細部構造等についても適宜に変更可能であることは勿論である。
【図面の簡単な説明】
【００２４】
【図１】本発明を適用した一実施形態の構成を示す断面図である。
【図２】地下構造物構築後で、撤去される前のアースアンカーを示す断面図である。
【符号の説明】
【００２５】
１    アースアンカー
１１  引張材
１２  支圧板
１３  鋼管（筒状部材）
１４  孔
２１  山留め壁
２２  腹起し
２３  ブラケット
２４  台座
３１  コンクリート壁
【図１】
0005016521.tif 000002
【図２】
0005016521.tif 000003